(57)【要約】【課題】内側から隙間カバーの施工ができる簡易建物及び簡易建物の組み立て方法を提供する。【解決手段】本発明にかかる簡易建物１は、横枠７と、パネル体９と、隙間カバー１１と、固定具１３とを備え、横枠７はパネル体９の上方に隙間Ｓを空けて設けてあり、隙間カバー１１は、横枠７とパネル体９との間に取り付けるものであり、上端部に横枠７に引掛ける引掛部２５を有し、上端部よりも下方の内側に手掛部２７を有し、固定具１３は、係合部３５と固定部３７を有し、係合部３５を隙間カバー１１の手掛部２７に係合してあると共に固定部３７をパネル体９に固定してある。【選択図】図１
2018115516.tif 000002
【特許請求の範囲】
【請求項１】
横枠と、パネル体と、隙間カバーと、固定具とを備え、横枠はパネル体の上方に隙間を空けて設けてあり、隙間カバーは、横枠とパネル体との間に取り付けるものであり、上端部に横枠に引掛ける引掛部を有し、上端部よりも下方の内側に手掛部を有し、固定具は、係合部と固定部を有し、係合部を隙間カバーの手掛部に係合してあると共に固定部をパネル体に固定してあることを特徴とする簡易建物。
【請求項２】
柱間にパネル体とパネル体の上方に隙間をあけて横枠とを架設した後、横枠に隙間カバーの上端部を引掛け、次に、隙間カバーの内側に設けた手掛部を内側に引いてパネル体に引き寄せ、次に、隙間カバーの手掛部に固定具を係合した後、固定具をパネル体に固定することを特徴とする簡易建物の組み立て方法。
【発明の詳細な説明】
【技術分野】
【０００１】
本発明は、簡易建物及び簡易建物の組み立て方法に関する。
【背景技術】
【０００２】
特許文献１には、柱間に設けたパネル体と、パネル体の上方に設けた桁（横枠）との間の隙間を塞ぎ材（隙間カバー）で塞ぐテラス（簡易建物）が開示されている。  
この特許文献１のテラスでは、塞ぎ材は柱及びパネル体に外側から止めるねじで固定している。  
【先行技術文献】
【特許文献】
【０００３】
【特許文献１】特開２００８−５７２１５号公報
【発明の概要】
【発明が解決しようとする課題】
【０００４】
しかし、簡易建物を家主の敷地の境界近くに設ける場合や、簡易建物の外側に構築物が迫っている場合等に隙間カバーを外側から施工ができない虞がある。
【０００５】
そこで、本発明は、内側から隙間カバーの施工ができる簡易建物及び簡易建物の組み立て方法の提供を目的とする。
【課題を解決するための手段】
【０００６】
請求項１に記載の発明は、横枠と、パネル体と、隙間カバーと、固定具とを備え、横枠はパネル体の上方に隙間を空けて設けてあり、隙間カバーは、横枠とパネル体との間に取り付けるものであり、上端部に横枠に引掛ける引掛部を有し、上端部よりも下方の内側に手掛部を有し、固定具は、係合部と固定部を有し、係合部を隙間カバーの手掛部に係合してあると共に固定部をパネル体に固定してあることを特徴とする簡易建物である。
【０００７】
請求項２に記載の発明は、柱間にパネル体とパネル体の上方に隙間をあけて横枠とを架設した後、横枠に隙間カバーの上端部を引掛け、次に、隙間カバーの内側に設けた手掛部を内側に引いてパネル体に引き寄せ、次に、隙間カバーの手掛部に固定具を係合した後、固定具をパネル体に固定することを特徴とする簡易建物の組み立て方法である。
【発明の効果】
【０００８】
請求項１及び２に記載の発明によれば、隙間カバーの内側に設けてある手掛部に係合部を係合した固定具をパネル体に固定することで隙間カバーを施工できるから、隙間カバーを内側から施工できる。
【図面の簡単な説明】
【０００９】
【図１】第１実施の形態にかかる簡易建物であって、隙間カバーの施工手順を（ａ）〜（ｃ）の各図で示す縦断面図である。
【図２】第１実施の形態にかかる簡易建物の柱間の上部を示す図であって、（ａ）は正面図、（ｂ）は（ａ）に示すＸ−Ｘ断面図である。
【図３】取付金具の図であり、（ａ）は側面図、（ｂ）は正面図、（ｃ）は平面図である。
【図４】第１実施の形態にかかる簡易建物における隙間カバーの施工手順を（１）〜（３）で示す図であり、（１）の（ａ）、（２）及び（３）は斜視図、（１）の（ｂ）は外側から見た正面図である。
【図５】固定具をねじ固定する前の隙間カバーの状態を内側から見た斜視図である。
【発明を実施するための形態】
【００１０】
以下に、添付図面を参照して本発明の実施の形態を説明するが、まず、図１〜図５を参照して本発明の実施の形態について説明する。  
図４（３）に示すように、本発明の実施の形態にかかる簡易建物１は、躯体３に設置されるテラスである。躯体３は掃出し窓５を備える外壁である。  
簡易建物１は、横枠７と、パネル体９と、隙間カバー１１と、固定具１３（図２参照）とを備えている。  
この第１実施の形態では横枠７は、屋根８の桁であり、左右の柱１５間に架設されている。尚、左右の柱１５、１５間には補助柱１５ａが設けてある。  
図１（ａ）及び図２に示すように、横枠７はパネル体９の上方に隙間Ｓを空けて設けてある。横枠７には、外側に縦断面が略円弧状を成す雨樋７ａが設けてあり、雨樋７ａの上端は上に向けて突出する突片１６としてある。  
図４（ａ）に示すように、パネル体９は、左右の柱１５、１５間に設けた前面パネル体であり、上桟１７と、下桟１９と、上桟１７と下桟１９との間に設けたパネル２１を備えており、上桟１７と下桟１９との間で各パネル２１の左右には方立２３が設けてある。  
【００１１】
図１及び図２に示すように、隙間カバー１１は、横枠７とパネル体９との間に配置されている。  
隙間カバー１１には、その上端部に横枠７に取り付ける引掛部２５と、上端部よりも下方の内側に手掛部２７とが設けてある。尚、図４（２）に示すように、隙間カバー１１の左右端には隙間隠し材キャップ３１が取り付けてある。  
図１及び図２に示すように、隙間カバー１１は、手掛部２７より上側では外側を突出した湾曲部２９ａとしてあり、手掛部２７の下方は平面部２９ｂとしてあり、平面部２９ｂはパネル体９の上桟１７の外側に配置しており、平面部の下端には内側に突出した返し片３０が形成されている。  
引掛部２５には、上端を溝底として下方を開口した係止溝３３が形成してある。
手掛部２７は、隙間カバー１１の内側に突出して設けてあり、内側に突出する水平部２７ａと、水平部２７ａの内側端で上方に突出する手掛片２７ｂと、手掛片２７ｂの下方に連続した被固定片２７ｃとを有し、水平部２７ａと、手掛片２７ｂ及び被固定片２７ｃとで縦断面が略Ｔ字形状を成している。  
【００１２】
図１及び図３に示すように、固定具１３は、隙間カバー１１の手掛部２７に係合する係合部３５と、パネル体９に固定する固定部３７を有している。図５に示すように、固定具１３は、隙間カバー１１の左右方向に間隔を空けて設けてある。  
図３及び図５に示すように、係合部３５には、下側を開口して手掛部２７の手掛片２７ｂに上から係合する係合溝３５ａと、係合溝３５ａの下方で手掛部２７の被固定片２７ｃの室内側面にねじ３２で止めるねじ止め部３５ｂとが設けてある。  
固定部３７は、パネル体９の上桟１７の上面に載置される水平部３７ａと、上桟１７の内側面に当接する垂直部３７ｂとを有し、水平部３７ａと垂直部３７ｂとで縦断面略Ｌ字形状を成している。  
垂直部３７ｂは上桟１７の内側面に内側から止めるねじ３８で固定されている。  
【００１３】
尚、図２に示すように、柱１５及び補助柱１５ａには、上桟１７の内側面に取り付けたボルト４１を固定する上桟固定金具４３が取り付けてあり、ボルト４１の頭は上桟１７の長手方向にスライド自在に設けてあり、上桟固定金具４３にナット４５で締め付けて固定されている。  
図示を省略するが、下桟１９も上桟１７と同様に、下桟１９の内側面に長手方向に頭をスライド自在なボルト４１が取り付けてあり、上桟固定金具４３と同様な下桟固定金具４３にボルト４１をナット４５で締め付けて柱１５及び補助柱１５ａに固定されている。  
図２において、符号４６で示すのは、排水管である。  
【００１４】
次に、簡易建物１の施工について説明する。  
図４（１）に示すように、柱１５及び補助柱１５ａを立設し、柱１５及び補助柱１５ａと、躯体３との間に屋根８を施工する。  
図１（ａ）に示すように、左右の柱１５、１５間には、パネル体９を架設するが、パネル体９は屋根８の横枠７との間に隙間Ｓをあけて取り付ける。パネル体９の架設は、柱１５、１５及び補助柱１５ａに固定した上桟固定金具４３に、パネル体９の上桟１７に頭をスライド自在に設けたボルト４１の軸を係合してナット４５で締め付けて固定する。図示を省略するが、パネル体９の下桟１９も上桟１７と同様に、柱１５、１５及び補助柱１５ａに固定した下桟固定金具４３に、パネル体９の下桟１７に頭をスライド自在に設けたボルト４１の軸を係合してナット４５で締め付けて固定する。  
【００１５】
その後、屋根８の横枠７とパネル体９との間の隙間Ｓに隙間カバー１１を取り付けるが、隙間カバー１１の取り付けは以下のようにして行う。  
まず、図１（ａ）及び図４（２）に示すように、隙間カバー１１の引掛部２５に形成されている係止溝３３を横枠７の突片１６に上から係止する。  
隙間カバー１１の引掛部２５を横枠７に係止した後、隙間カバー１１の手掛部２７に内側から手を掛けて、図１（ｂ）に示すように内側に引き寄せ、次に図１（ｃ）に示すように、手掛部２７の手掛片２７ｂに固定具１３の係合部３５を上から係合することで、手掛部２７に固定具１３を係合する。図１（ｃ）及び図５に示すように、手掛部２７に係合した固定具１３の固定部３７をパネル体９の上桟１７に当てて、固定具１３の固定部３７をパネル体９の上桟１７の内側面にねじ３８で止める。  
その後、手掛部２７の被固定片２７ｃを固定具１３のねじ止め部３５ｂにねじ３２で固定する。  
そして、図４（３）に示すように、屋根８の横枠７とパネル体９との間に隙間カバー１１の取り付けが完了する。  
【００１６】
次に簡易建物１の作用効果を説明する。  
第１実施の形態にかかる簡易建物１よれば、隙間カバー１１の内側に設けてある手掛部２７に係合部３５を係合した固定具１３をパネル体９に固定することで隙間カバー１１を施工できるから、隙間カバー１１を内側から施工できる。  
【００１７】
隙間カバー１１は、引掛部２５に設けた係止溝３３を横枠７の突片１６に上から掛けて取り付けるので、横枠７への取り付けが容易にできる。特に、簡易建物の内側からの作業性が良い。  
隙間カバー１１には、内側に手掛部２７を設けてあるから、内側から手掛部２７に手をかけて隙間カバー１１をパネル体９側へ容易に引き寄せできる。  
固定具１３は、パネル体９及び隙間カバー１１にそれぞれ内側から止めるねじ３８、３２により固定しているので、内側からのねじ止め作業で隙間カバー１１を固定できる。  
隙間カバー１１をパネル体９に固定するねじ３８、３２は、外側から見えないので、外観が良い。  
隙間カバー１１は引掛部２５を横枠７に係止し、固定具１３は上端部を手掛部２７に係止する構成であるから、ねじ止め箇所が少なくでき、作業性が良い。  
固定具１３において、固定部３７は、パネル体９の上桟１７の上面と内側面との２面に重ねて固定するので、固定強度が高い。  
【００１８】
本発明は、上述した実施の形態に限らず、本発明の要旨を逸脱しない範囲で種々変形可能である。  
例えば、簡易建物１は、カーポートやサンルーム等であってもよく、簡易建物の目的や種類は制限されない。  
パネル体９及び隙間カバー１１は、簡易建物１の前面に限らず、左右の側面に設けてもよい。  
固定具１３は手掛部２７にねじ３２で固定したが、ねじ３２で固定することなく、係合部３５を係合するだけでも良い。  
【符号の説明】
【００１９】
１    簡易建物
７    横枠
９    パネル体
１１  隙間カバー
１３  固定具
２５  引掛部
２７  手掛部
３５  係合部
３７  固定部
Ｓ    隙間
【図１】
2018115516.tif 000003
【図２】
2018115516.tif 000004
【図３】
2018115516.tif 000005
【図４】
2018115516.tif 000006
【図５】
2018115516.tif 000007